(57)【要約】【課題】天井材等を吊り下げ支持する防振装置において、吊りボルトに上向きの力が加わるような作業における施工性を向上させ、取付後の下方からの力の影響を抑制する。【解決手段】防振装置１は、下側プレート５と、上側プレート７と、これらを連結する筒状のゴム体１１と、ゴム体１１及び両プレート５，７を貫通する吊りボルト３と、上側プレート７上面に配置されて吊りボルト３に螺合されるナット９とを備えている。両プレート５，７には、吊りボルト挿通孔５ａ，７ａが形成されている。ナット９は、ナット本体部１９と、上側プレート７の上側吊りボルト挿通孔７ａに嵌挿されるカシメ部２９とを有していて、カシメ部２９により上側プレート７に回転可能に取り付けられている。【選択図】図３
2010090929.tif 000002
【特許請求の範囲】
【請求項１】
支持体に支持される下側プレートと、該下側プレートと対向配置されている上側プレートと、該両プレートを連結している筒状のゴム体と、該ゴム体及び上記両プレートを貫通して被支持体が吊り下げられる吊りボルトと、上記上側プレートの上面に配置されて該吊りボルトに螺合されているナットとを備えている防振装置であって、
上記下側及び上側プレートには、上記吊りボルトよりも大径の吊りボルト挿通孔がそれぞれ形成されており、
上記ナットは、ナット本体部と、上記上側プレートの吊りボルト挿通孔に嵌挿されるように該ナット本体部の下面から下方に延びた後、径方向外側に屈曲する断面略Ｌ字状のカシメ部とを有していて、該カシメ部により上記上側プレートのボルト挿通孔周縁部をかしめることで上記上側プレートに回転可能に取り付けられていることを特徴とする防振装置。
【請求項２】
請求項１記載の防振装置において、
上記ゴム体は、上記カシメ部の外径よりも大きな内径を有しており、
上記吊りボルトと上記ゴム体との隙間に、上記カシメ部と非当接状態で挿入されている筒状のゴムブッシュをさらに備えていることを特徴とする防振装置。
【請求項３】
請求項２記載の防振装置において、
上記ゴム体の内周面及び上記ゴムブッシュの外周面のうち一方には、凸条部が全周に亘って形成されているとともに、他方には、該凸条部と対応する部分に該凸条部と係合する凹溝部が全周に亘って形成されていることを特徴とする防振装置。
【請求項４】
請求項１〜３のいずれか１つに記載の防振装置において、
上記ゴム体の外周面は、上記被支持体を吊り下げていない状態では、軸方向中央部が両端部よりも径方向内側に凹んだ形状をなしている一方、上記被支持体を吊り下げた状態では、略ストレート形状をなすことを特徴とする防振装置。
【発明の詳細な説明】
【技術分野】
【０００１】
本発明は、天井材等を吊り下げ支持する防振装置に関するものである。
【背景技術】
【０００２】
従来から、階上からの衝撃音が階下の天井に伝わるのを抑制するために、図９に示すように、天井用ボード（図示せず）が取り付けられる野縁２１を支持する野縁受け２３を、防振装置１０１を用いて梁２５に吊り下げ支持することが知られている。
【０００３】
上記防振装置としては種々のものがあり、例えば、特許文献１には、支持体に連結される上側吊り金具と、防振ゴムが配設された下側吊り金具とを、十字部材によって連結することにより、傾斜した状態で設置された場合にも、防振ゴムの軸方向と荷重方向とを一致させるようにした防振装置が開示されている。
【特許文献１】特開平９−１９６１２０号公報
【発明の開示】
【発明が解決しようとする課題】
【０００４】
防振装置の一般的な構造は以下のとおりである。すなわち、防振装置１０１は、図１０に示すように、被支持体２３（図１２参照）を吊り下げる吊りボルト１０３と、互いに対向配置され、該吊りボルト１０３と略同径のボルト挿通孔１０５ａ，１０７ａがそれぞれ形成されている下側及び上側プレート１０５，１０７と、吊りボルト１０３と同径の内径を有していて該両プレート１０５，１０７を連結する筒状のゴム体１１１と、吊りボルト１０３が螺合した状態で上側プレート１０７上に載置されるナット１０９とを備えている。この防振装置１０１では、ナット１０９を回転自在とするために、ナット１０９は上側プレート１０７に固定されておらず、被支持体２３及び吊りボルト１０３の重みにより上側プレート１０７に押しつけられた状態になっている。
【０００５】
この防振装置を用いて梁に天井材を支持させる場合には、図１１に示すように、下側プレート１０５を梁２５に固定した後、ナット１０９の回転を抑えながら吊りボルト１０３を回転させて、吊りボルト１０３の大まかな高さ調整を行う（例えば、二点鎖線で示す高さまで吊りボルト１０３を下げる）。
【０００６】
そして、図１２に示すように、２つのナット１４１，１４１を用いて野縁受け２３を取り付けた後は吊りボルト１０３の回転が拘束されることになるので、ナット１０９を回転させることにより、吊りボルト１０３を無回転で上下させて天井の高さの微調整を行うことになる。
【０００７】
しかしながら、上記防振装置１０１では、ナット１０９が上側プレート１０７に対し固定されていないため、例えば野縁に支持された天井用ボードに照明設備等を取り付ける際、野縁受け２３を介して吊りボルト１０３に上向きの力が加わると、図１３に示すように、ナット１０９が上側プレート１０７から浮き上がってしまい、施工が困難になるとともに、耐震補強金具等による天井のつっぱりに弱いという問題がある。
【０００８】
本発明は、かかる点に鑑みてなされたものであり、その目的とするところは、天井材等を吊り下げ支持する防振装置において、被支持体を介して吊りボルトに上向きの力が加わるような作業における施工性を向上させるとともに、該防振装置取付後に被支持体を介して吊りボルトに作用する下方からの力の影響を抑制する技術を提供することにある。
【課題を解決するための手段】
【０００９】
第１の発明は、支持体に支持される下側プレートと、該下側プレートと対向配置されている上側プレートと、該両プレートを連結している筒状のゴム体と、該ゴム体及び上記両プレートを貫通して被支持体が吊り下げられる吊りボルトと、上記上側プレートの上面に配置されて該吊りボルトに螺合されているナットとを備えている防振装置であって、上記下側及び上側プレートには、上記吊りボルトよりも大径の吊りボルト挿通孔がそれぞれ形成されており、上記ナットは、ナット本体部と、上記上側プレートの吊りボルト挿通孔に嵌挿されるように該ナット本体部の下面から下方に延びた後、径方向外側に屈曲する断面略Ｌ字状のカシメ部とを有していて、該カシメ部により上記上側プレートのボルト挿通孔周縁部をかしめることで上記上側プレートに回転可能に取り付けられていることを特徴とするものである。
【００１０】
第１の発明によれば、ナットが上側プレートに回転可能になるように、カシメ部が上側プレートのボルト挿通孔周縁部をかしめているので、被支持体を介して吊りボルトに上向きの力が加わった場合にも、ナットが上側プレートから浮き上がるのを抑制することができる。
【００１１】
したがって、被支持体を介して吊りボルトに上向きの力が加わるような作業における施工性を向上させるとともに、防振装置取付後に被支持体を介して吊りボルトに作用する下方からの力の影響を抑制することができる。
【００１２】
第２の発明は、上記第１の発明において、上記ゴム体は、上記カシメ部の外径よりも大きな内径を有しており、上記吊りボルトと上記ゴム体との隙間に、上記カシメ部と非当接状態で挿入されている筒状のゴムブッシュをさらに備えていることを特徴とするものである。
【００１３】
ところで、上側及び下側プレートを連結するゴム体を成形用金型で加硫成形する際には、ボルト孔を形成するための中子をキャビティの中央部に配置し、該中子の上端に当接するように上側プレートをセットする。
【００１４】
そして、図１４に示すように、ナット本体部１９とカシメ部２９とを有するナット９を用いて、該カシメ部２９によりボルト挿通孔７ａ周縁部がかしめらた上側プレート７をセットする場合には、中子（図示せず）の上端をカシメ部２９に当接させるよりも、上側プレート７に直接当接させる方が、上側プレート７が安定し、注入の際に成形用金型（図示せず）と上側プレート７との間に隙間が生じるのを抑えることができる。
【００１５】
しかしながら、中子の上端を上側プレート７に当接させると、ゴム体１１の内径がカシメ部２９の外形よりも大きくなり、吊りボルト３とゴム体１１との間に隙間が生じることになる。このように、吊りボルト３とゴム体１１との間に隙間が生じると、図１５に示すように、吊りボルト３が傾いた場合には、吊りボルト３と下側プレート５が接触して防振効果が低下するおそれがある。また、天井のたわみが吊りボルト３の傾きにより増幅されるおそれがある。
【００１６】
第２の発明によれば、ゴム体はカシメ部の外径よりも大きな内径を有しているので、被支持体を吊りボルトに取り付けた後、ナットを回転させることにより被支持体の高さ調整を容易に行うことができる。
【００１７】
また、吊りボルトとゴム体との隙間にゴムブッシュが挿入されているので、吊りボルトの傾きによる該吊りボルトと下側プレートとの接触を抑えて防振効果を維持することができる。
【００１８】
したがって、被支持体を介して吊りボルトに上向きの力が加わるような作業における施工性を向上させつつ、防振効果の低下を抑制するとともに天井等の傾きの増幅を抑えることができる。
【００１９】
第３の発明は、上記第２の発明において、上記ゴム体の内周面及び上記ゴムブッシュの外周面のうち一方には、凸条部が全周に亘って形成されているとともに、他方には、該凸条部と対応する部分に該凸条部と係合する凹溝部が全周に亘って形成されていることを特徴とするものである。
【００２０】
第３の発明によれば、簡単な構造で、ゴムブッシュがゴム体から外れるのを抑制することができる。
【００２１】
第４の発明は、上記第１〜３のいずれか１つの発明において、上記ゴム体の外周面は、上記被支持体を吊り下げていない状態では、軸方向中央部が両端部よりも径方向内側に凹んだ形状をなしている一方、上記被支持体を吊り下げた状態では、略ストレート形状をなすことを特徴とするものである。
【００２２】
第４の発明によれば、ゴム体の外周面は、上記被支持体を吊り下げた状態では略ストレート形状をなすことから、応力集中が生じるのを抑制して、ゴム体がへたるのを抑えることができる。
【発明の効果】
【００２３】
本発明によれば、ナットが回転可能となるようにカシメ部が上側プレートのボルト挿通孔周縁部をかしめているので、上側プレートからのナットの浮き上がりが抑制されることから、被支持体を介して吊りボルトに上向きの力が加わるような作業における施工性を向上させるとともに、防振装置取付後に被支持体を介して吊りボルトに作用する下方からの力の影響を抑制することができる。
【発明を実施するための最良の形態】
【００２４】
以下、本発明の実施形態を図面に基づいて詳細に説明する。
【００２５】
図１は、本発明に係る防振装置を示す正面図であり、図２は、防振装置の上面図であり、図３は、防振装置の縦断面図である。この防振装置１は、支持体２５に取り付けられて被支持体２３を吊り下げるものであり（図６参照）、支持体２５からの衝撃音が被支持体２３に伝わるのを抑制するように構成されている。なお、図３中の符合Ｚは防振装置１の上下方向に延びる中心軸を示している。
【００２６】
上記防振装置１は、図１に示すように、支持体２５に支持される下側プレート５と、該下側プレート５と対向配置されている上側プレート７と、該両プレート５，７を連結している筒状のゴム体１１と、該ゴム体１１及び上記両プレート５，７を貫通して被支持体２３が吊り下げられる吊りボルト３と、上記上側プレート７の上面に配置されて該吊りボルト３に螺合されているナット９とを備えている。
【００２７】
上記下側プレート５は、図２及び図３に示すように、略正方形状の鋼製プレートであり、その中央部に上記吊りボルト３よりも大径の下側吊りボルト挿通孔（吊りボルト挿通孔）５ａが形成されている一方、その四隅部には該下側吊りボルト挿通孔５ａよりも小径の４つのリベット孔５ｂ，５ｂ，…が形成されている。この下側プレート５は、支持体（例えば、Ｈ型鋼やＩ型鋼を用いた梁部材）２５に（図６及び図７参照）、直接又はブラケット部材等を介して取付支持される。なお、下側吊りボルト挿通孔５ａの周縁部は下方に折り曲げられて僅かに下方に突起する環状突起部５ｃを構成している。
【００２８】
上記上側プレート７は鋼製であり、中央部に上側吊りボルト挿通孔（吊りボルト挿通孔）７ａが形成された環状の頂板部７ｃと、該頂板部７ｃの外周端から径方向外側に行くほど下方に延びる傾斜部７ｄと、該傾斜部７ｄの下端から径方向外側に延びる環状の鍔部７ｅを有していて、逆皿状をなしている。上記上側吊りボルト挿通孔７ａは、上記吊りボルト３よりも大径に形成されており、図５に示すように、頂板部７ｃの厚さ中央より下側の部分が段差部７ｂを介して拡径している（厚さ中央より上側の部分よりも大径に形成されている）。
【００２９】
上記筒状のゴム体１１は、下側及び上側プレート５，７と一体に加硫成形されてなるものであり、下側プレート５の上面と上側プレート７の下面とを連結している。このゴム体１１は、後述するナット９のカシメ部２９の外径よりも大きな内径を有しており、吊りボルト３を上昇又は下降させるためにナット９を回転させる際に該カシメ部２９に接触しないようになっている。
【００３０】
上記ゴム体１１の内周面１１ｄの下側部分には、径方向内側に突起する凸条部１５が全周に亘って形成されている。この凸条部１５は、断面矩形状に形成されており、後述するゴムブッシュ１３の凹溝部１７に係合するようになっている。なお、ゴム体１１の内周面１１ｄは、凸条部１５以外の部分が略ストレート形状をなしている。
【００３１】
これに対し、上記ゴム体１１の外周面は、被支持体２３を吊り下げていない状態では、図４（ａ）に示すように、軸方向中央部１１ｂが両端部１１ａ，１１ｃよりも径方向内側に凹んだ形状をなしている一方、被支持体２３を吊り下げた状態では、図４（ｂ）に示すように、略ストレート形状をなすようになっている。より具体的には、ゴム体１１の外周面は、被支持体２３が吊り下げられると、該ゴム体１１が上下に縮み、その軸方向中央部１１ｂが径方向外側に膨らむことによって略ストレート形状をなすように構成されている。このように、ゴム体１１の外周面を、軸方向中央部１１ｂが両端部１１ａ，１１ｃよりも径方向内側に凹んだ形状（くびれた形状）にするのは、被支持体２３を吊り下げた状態（負荷状態）において、外周面を凹凸の無い略ストレート形状とすることで、応力集中が発生するのを抑制するためである。
【００３２】
上記吊りボルト３は、上記ナット９に螺合されており、該ゴム体１１及び下側及び上側プレート５，７と接触することなく、これらを貫通して下方に延びている。この吊りボルト３によって被支持体２３を吊り下げる際には、図６に示すように、被支持体（例えば、Ｃ型鋼（チャンネル）を用いた野縁受け）２３に形成された貫通孔２３ａに吊りボルト３の下端部を挿入し、該下端部に螺合された２つのナット４１，４１で被支持体２３を上下に締め付けることで被支持体２３を固定する。
【００３３】
上記ナット９は、上記吊りボルト３が螺合するナット本体部１９と、上記上側吊りボルト挿通孔７ａに嵌挿されるように該ナット本体部１９の下面から下方に延びた後、径方向外側に屈曲する断面略Ｌ字状のカシメ部２９とを有している。換言すると、図５に示すように、カシメ部２９は、ナット本体部１９の下面から下方に延びて上側吊りボルト挿通孔７ａの上側部分に嵌挿されているリング部２９ａと、該リング部２９ａの下端から上側吊りボルト挿通孔７ａの段差部７ｂを下側から覆うように径方向外側に延びているリングプレート部２９ｂとを有している。
【００３４】
上記ナット９は、カシメ部２９により上側プレート７の上側吊りボルト挿通孔７ａ周縁部をかしめることで該上側プレート７に回転可能に取り付けられている。より具体的には、ナット９は、リング部２９ａが上側吊りボルト挿通孔７ａの上側部分に嵌挿されるとともに、リングプレート部２９ｂの上面が上側吊りボルト挿通孔７ａの段差部７ｂに面するように、ナット本体部１９の下面とリングプレート部２９ｂの上面とで上側吊りボルト挿通孔７ａの上側部分の周縁部を挟み込むことにより、上側プレート７に回転可能に取り付けられている。これにより、簡単な構造でナット９の上方への移動が規制される。なお、上述のように、上記ゴム体１１はカシメ部２９の外径よりも大きな内径を有しているので、ナット９が上側プレート７に対して回転する際に、ゴム体１１が支障となることはない。
【００３５】
この防振装置１は、図３に示すように、上記吊りボルト３と上記ゴム体１１との隙間に、上記カシメ部２９と非当接状態で（干渉しないように）挿入されている筒状のゴムブッシュ１３をさらに備えている。
【００３６】
上記ゴムブッシュ１３は、その外周面が略ストレート形状の筒体であり、上端部が切頭円錐状をなしている。このゴムブッシュ１３は、その径方向の厚さが、吊りボルト３とゴム体１１との隙間と略同じ長さになるように形成されている。このような厚さを有するゴムブッシュ１３をゴム体１１に下方から挿入することにより、吊りボルト３とゴム体１１との隙間が埋められて、吊りボルト３がＺ軸に対して傾くのが抑えられる。
【００３７】
また、ゴムブッシュ１３の外周面には、上記ゴム体１１の凸条部１５と対応する部分に該凸条部１５と係合する凹溝部１７が全周に亘って形成されている。この凹溝部１７は、断面矩形状をなすように径方向内側に凹んでおり、この凹溝部１７に上記凸条部１５を係合させることで、ゴムブッシュ１３がゴム体１１に取り付けられている。
【００３８】
上記ゴムブッシュ１３は、その上端が上記カシメ部２９のリングプレート部２９ｂに干渉しない程度に近接する一方、その下端が下側プレート５と略同じ高さ位置となるようにＺ軸方向に延びている。このように、ゴムブッシュ１３の軸方向長さを長くするのは、吊りボルト３が繰り返し上下に動いた場合にも、ゴムブッシュ１３の上方に空間が形成されないようにすることで、ゴムブッシュ１３が上方にずれるのを抑えるためであり、また、ゴムブッシュ１３の下端を下側プレート５と略同じ高さ位置とするのは、万が一ゴムブッシュ１３が下方にずれたときに、その下端が下側プレート５の下側吊りボルト挿通孔５ａ（環状突起部５ｃ）から下方に飛び出さないようにするためである。
【００３９】
次に、上記防振装置１の使用方法の一例を説明する。
【００４０】
図６及び図７は、防振装置の使用状態を模式的に示す図である。防振装置１は、鋼製のブラケット３１を介して支持体２５に取り付けられている。このブラケット３１は、鋼製プレートを折り曲げ加工することで形成されており、長方形状の底壁部３３と、該底壁部３３の側縁端から上方に延びる２つの側壁部３５，３５とを備えている。
【００４１】
上記底壁部３３には、その前端部（図６及び図７の右側の端部）に上記下側プレート５の環状突起部５ｃの外径と略同じ大きさの嵌合孔３３ａが形成されている一方、その後端部（図６及び図７の左側の端部）に、該ブラケット３１を支持体２５に固定するための固定ボルト３７が設けられている。
【００４２】
上記各側壁部３５，３５には、その後端部の上下方向中央部を矩形状の切り欠いた切欠き部３５ｂが形成されている。
【００４３】
上記防振装置１をこのブラケット３１に取り付ける際には、防振装置１の下側プレート５の環状突起部５ｃをブラケット３１の嵌合孔３３ａに嵌めた状態で、防振装置１を下側プレート５にリベット３９，３９，…で締結する。
【００４４】
防振装置１が取り付けられたブラケット３１をＨ型鋼２５に取り付ける際には、図６に示すように、切欠き部３５ｂの上縁部と固定ボルト３７によって万力のようにフランジ部２５ａ挟む。これにより、防振装置１がブラケット３１を介して支持体２５に取り付けられる。
【００４５】
次に、吊りボルト３の下端部に螺合された２つのナット４１，４１でＣ型鋼２３を上下に締め付けることで被支持体２３を固定する。
【００４６】
そして、図７に示すように、ナット９を回転することにより、無回転で吊りボルト３を上下させて、野縁受けとしてのＣ型鋼２３の高さ調整を行う。
【００４７】
−効果−
本実施形態によれば、ナット９が上側プレート７に回転可能になるように、カシメ部２９が上側プレート７の上側吊りボルト挿通孔７ａ周縁部をかしめているので、被支持体２３を介して吊りボルト３に上向きの力が加わった場合にも、ナット９が上側プレート７から浮き上がるのを抑制することができる。
【００４８】
したがって、被支持体２３を介して吊りボルト３に上向きの力が加わるような作業における施工性を向上させるとともに、防振装置１取付後に被支持体２３を介して吊りボルト３に作用する下方からの力の影響を抑制することができる。
【００４９】
また、ゴム体１１はカシメ部２９の外径よりも大きな内径を有しているので、被支持体２３を吊りボルト３に取り付けた後、ナット９を回転させることにより被支持体２３の高さ調整を容易に行うことができる。
【００５０】
さらに、吊りボルト３とゴム体１１との隙間にゴムブッシュ１３が挿入されているので、吊りボルト３の傾きによる該吊りボルト３と下側プレート５との接触を抑えて防振効果を維持することができる。
【００５１】
したがって、被支持体２３を介して吊りボルト３に上向きの力が加わるような作業における施工性を向上させつつ、防振効果の低下を抑制するとともに天井等の傾きの増幅を抑えることができる。
【００５２】
また、ゴム体１１の内周面１１ｄには、凸条部１５が全周に亘って形成されているとともに、ゴムブッシュ１３の外周面には、該凸条部１５と対応する部分に該凸条部１５と係合する凹溝部１７が全周に亘って形成されているので、簡単な構造で、ゴムブッシュ１３がゴム体１１から外れるのを抑制することができる。
【００５３】
さらに、ゴム体１１の外周面は、被支持体２３を吊り下げた状態では略ストレート形状をなすことから、応力集中が生じるのを抑制して、ゴム体１１がへたるのを抑えることができる。
【００５４】
（その他の実施形態）
上記実施形態では、ブラケットを用いて防振装置１を支持体２５に取り付けたが、これに限らず、例えば、梁を構成するＨ型鋼２５のフランジ部２５ａに防振装置１を直接載置してボルト等で固定するようにしてもよい。
【００５５】
さらに、上記実施形態では、上側プレート７を逆皿状に形成したが、これに限らず、例えば、図８に示すように、上側プレート７をフラット形状に形成してもよい。
【００５６】
また、上記実施形態では、ゴム体１１の内周面１１ｄに凸条部１５を、ゴムブッシュ１３の外周面に凹溝部１７をそれぞれ形成したが、これに限らず、例えば、ゴム体１１の内周面１１ｄに凹溝部１７を、ゴムブッシュ１３の外周面に凸条部１５をそれぞれ形成してもよい。
【００５７】
さらに、上記実施形態では、上記ゴム体１１の外周面を、被支持体２３を吊り下げていない状態では、軸方向中央部１１ｂが両端部１１ａ，１１ｃよりも径方向内側に凹んだ形状とする一方、被支持体２３を吊り下げた状態では、略ストレート形状をなすように形成したが、これに限らず、例えば、被支持体２３を吊り下げていない状態でも、ゴム体１１の外周面が略ストレート形状をなすように形成してもよい。
【００５８】
本発明は、実施形態に限定されず、その精神又は主要な特徴から逸脱することなく他の色々な形で実施することができる。
【００５９】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６０】
以上説明したように、本発明は、天井材等を吊り下げ支持する防振装置等について有用である。
【図面の簡単な説明】
【００６１】
【図１】本発明に係る防振装置を示す正面図である。
【図２】防振装置の上面図である。
【図３】図２のIII−III線の矢視断面図である。
【図４】ゴム体の形状を示す断面図であり、同図（ａ）は、防振措置に被支持体を吊り下げていない状態を示す図であり、同図（ｂ）は、防振措置に被支持体を吊り下げた状態を示す図である。
【図５】上側プレートに対するナットの取付状態を説明する図である。
【図６】防振装置の使用状態を模式的に示す図である。
【図７】防振装置の使用状態を模式的に示す図である。
【図８】その他の実施形態に係る防振装置を示す断面図である。
【図９】従来の防振装置の使用状態を模式的に示す図である。
【図１０】従来の防振装置の構造を模式的に示す図であり、右半分が正面図であり、左半分が断面図である。
【図１１】従来の防振装置における吊りボルトの動きを模式的に示す図である。
【図１２】被支持体を吊り下げた従来の防振措置を示す図である。
【図１３】被支持体を吊り下げた従来の防振措置を示す図である。
【図１４】防振装置を模式的に示す図である。
【図１５】防振装置を模式的に示す図である。
【符号の説明】
【００６２】
１      防振装置
３      吊りボルト
５      下側プレート
５ａ    下側吊りボルト挿通孔（吊りボルト挿通孔）
７      上側プレート
７ａ    上側吊りボルト挿通孔（吊りボルト挿通孔）
９      ナット
１１    ゴム体
１１ｂ  外周面の軸方向中央部
１１ａ  外周面の上端部
１１ｃ  外周面の下端部
１３    ゴムブッシュ
１５    凸条部
１７    凹溝部
１９    ナット本体部
２３    Ｃ型鋼（被支持体）
２５    Ｈ型鋼（支持体）
２９    カシメ部
【図１】
2010090929.tif 000003
【図２】
2010090929.tif 000004
【図３】
2010090929.tif 000005
【図４】
2010090929.tif 000006
【図５】
2010090929.tif 000007
【図６】
2010090929.tif 000008
【図７】
2010090929.tif 000009
【図８】
2010090929.tif 000010
【図９】
2010090929.tif 000011
【図１０】
2010090929.tif 000012
【図１１】
2010090929.tif 000013
【図１２】
2010090929.tif 000014
【図１３】
2010090929.tif 000015
【図１４】
2010090929.tif 000016
【図１５】
2010090929.tif 000017